(57)【要約】【課題】  適切な準備をした上でナースコール呼出しを行った患者の居場所に急行することができるようにナースコールの受報者を支援する。【解決手段】  患者用携帯端末8-1〜8-jからナースコール呼出しがなされた場合に、ナースコール親機2はこのナースコール呼出しを行った患者用携帯端末の位置を判定するとともに、上記ナースコール呼出しをした患者用携帯端末を使用する患者の移動能力情報を看護支援サーバ10から取得し、位置と移動能力情報とを表示する。【選択図】      図１
2005040378.tif 000002
【特許請求の範囲】
【請求項１】
無線式子機からのナースコール呼出しを受けるナースコールシステムにおいて、
前記ナースコール呼出しをした前記無線式子機の位置を判定する手段と、
前記ナースコール呼出しをした前記無線式子機を使用する患者の移動能力情報を取得する手段と、
前記位置と前記移動能力情報とを表示する手段とを具備したことを特徴とするナースコールシステム。
【請求項２】
無線式子機からのナースコール呼出しに応じて、ナースコール端末装置にてナースコール発報を行わせるナースコール制御装置において、
前記ナースコール呼出しをした前記無線式子機の位置を判定する手段と、
前記ナースコール呼出しをした前記無線式子機を使用する患者の移動能力情報を取得する手段と、
前記ナースコール呼出しに応じて前記ナースコール発報を指示する際に、前記位置と前記移動能力情報との表示を前記ナースコール端末装置に指示する手段とを具備したことを特徴とするナースコール制御装置。
【請求項３】
ナースコール制御装置からの指示に応じてナースコール発報を行うナースコール端末装置において、
前記ナースコール発報を行う際に、前記ナースコール制御装置からの指示に応じて、ナースコール呼出しをした前記無線式子機の位置と前記ナースコール呼出しをした前記無線式子機を使用する患者の移動能力情報とを表示する手段を備えたことを特徴とするナースコール端末装置。
【発明の詳細な説明】
【技術分野】
【０００１】
本発明は、無線式子機からのナースコール呼出しに応じてナースコールを行うナースコールシステムと、ナースコール制御装置およびナースコール端末装置に関する。
【背景技術】
【０００２】
無線式子機からのナースコール呼出しに応じてナースコール発報を行うことは、既に知られている（例えば、特許文献１を参照）。  
また、無線式子機が存在する領域を確認可能とする技術も、上記の特許文献１に開示されている。
【特許文献１】特開２００１−１１９３３５
【発明の開示】
【発明が解決しようとする課題】
【０００３】
しかしながら特許文献１の技術では、ナースコール発報に気付いた看護士などは、患者の居場所しか判断することができず、適切な準備をした上で患者の居場所に急行することは困難であった。  
本発明はこのような事情を考慮してなされたものであり、その目的とするところは、適切な準備をした上でナースコール呼出しを行った患者の居場所に急行することができるようにナースコールの受報者を支援することにある。
【課題を解決するための手段】
【０００４】
本発明は、無線式子機からのナースコール呼出しを受けるナースコールシステムにおいて、前記ナースコール呼出しをした前記無線式子機の位置を判定するとともに、前記ナースコール呼出しをした前記無線式子機を使用する患者の移動能力情報を取得し、前記位置と前記移動能力情報とを表示することとした。
【０００５】
このような手段を講じたことにより、無線式子機からのナースコール呼出しが行われた場合には、無線式子機の位置と、この無線式子機を使用する患者の移動能力とが表示される。
【発明の効果】
【０００６】
本発明によれば、ナースコールの受報者が、ナースコール呼出しを行った患者の居場所と移動能力とを知ることができるので、上記の受報者が、ナースコールの受報時に患者の場所および移動能力を知ることができる。これにより、ナースコールの受報者は、患者の移動能力に応じた適切な処置を行うための準備をした上で患者の居場所に急行することが可能となる。
【発明を実施するための最良の形態】
【０００７】
図１は、この発明の一実施形態に係わるナースコールシステムの概略構成図である。なお、この実施形態では病棟に設置される看護支援用のナースコールシステムを例にとって説明する。
【０００８】
このナースコールシステムは、各病室にそれぞれ設置される病室ユニット1-1〜1-nと、ナースセンタに設置されるナースコール制御装置としてのナースコール親機2とを備え、これらの病室ユニット1-1〜1-nとナースコール親機2との間はそれぞれ通信線路を介して接続される。またナースコールシステムは、例えば病院内の通信センタに設置される無線交換装置3および構内交換機（ＰＢＸ：Private Branch Exchange）4を備え、無線交換装置3には無線ユニット6が接続され、またＰＢＸ4は公衆網5に接続される。
【０００９】
さらに、上記ナースコール親機2には、例えばＬＡＮ（Local Area Network）9を介して看護支援サーバ10およびプリンタ11が接続される。看護支援サーバ10は、看護支援のための種々情報を記憶し管理する。看護支援サーバ10が記憶する情報には、患者毎の患者名、移動能力（「歩行可能」「松葉杖使用」など）、あるいは所持する患者用携帯端末の端末ＩＤなどを含む。プリンタ11は、上記看護支援サーバ10に記憶されたデータをプリントアウトする。なお、図１の例では、看護支援サーバ10およびプリンタ11は、ＬＡＮ9に属するハブ9aを介して互いに接続され、さらにはナースコール親機2と接続される。
【００１０】
病室ユニット1-1〜1-nは、病室の天井等に設置されたマイクロホン101およびスピーカ102と、トイレ・浴室用押しボタン103と、代表廊下灯104と、復旧ボタン105とを備え、これらはＩ／Ｏユニット106を介して個別情報廊下灯107に接続される。また病室ユニット1-1〜1-nは、ハンド型子機109および握り押しボタン110を備え、これらは病床の壁に設けられた壁埋め込み型子機108を介して上記個別情報廊下灯107に接続される。
【００１１】
このうち、握り押しボタン110およびトイレ・浴室用押しボタン103は患者が看護師を呼び出す際に使用するもので、その操作信号はそれぞれ壁埋め込み型子機108またはＩ／Ｏユニット106を介して個別情報廊下灯107に伝えられる。また、壁埋め込み型子機108に設けられた押しボタンが押下された場合にも、操作信号が個別情報廊下灯107に伝えられる。個別情報廊下灯107は、上記各押しボタンの操作信号を受信すると、自身の表示部に呼出の発生を表示する。またそれとともに、呼出信号を生成してナースコール親機2へ送信する。呼出信号には、押しボタンの番号またはアドレス情報が挿入される。
【００１２】
マイクロホン101とスピーカ102、ハンド型子機109および壁埋め込み型子機108は、患者が呼出に対し応答した看護師と通話を行うために使用するもので、その通話信号は通話路を介してナースコール親機2へ送信される。通話路は、ナースコール親機2において看護師が患者の呼出に対し応答操作することにより確立される。なお、復旧ボタン105は上記呼出をリセットする場合に使用される。
【００１３】
無線交換装置3は、例えば構内ＰＨＳ（Personal Handyphone System）対応の交換装置からなるもので、交換制御部やタイムスイッチの他に、複数の内線インタフェースと、局線インタフェースと、保守インタフェースとを備える。内線インタフェースにはそれぞれ無線ユニット6の無線基地局6-1〜6-mが接続される。無線基地局6-1〜6-mはそれぞれ無線エリアを形成し、この無線エリア内に存在するナース用携帯端末7-1〜7-ｋおよび患者用携帯端末8-1〜8-jとの間で無線回線を介して接続される。局線インタフェースにはＰＢＸ4が接続される。ナース用携帯端末7-1〜7-kは、看護士などの医療関係者が所持するための無線端末であり、通話機能の他にナースコール発報の機能を備える。患者用携帯端末8-1〜8-jは、患者が所持するための無線端末であり、通話機能の他にナースコール呼出しの機能を備える。
【００１４】
ところで、ナースコール親機2は次のように構成される。  
図２はナースコール親機2の機能構成を示すブロック図である。なお、図２において図１と同一部分には同一符号を付し、その詳細な説明は省略する。  
ナースコール親機2は、制御部として例えばマイクロコンピュータを使用する中央処理ユニット（ＣＰＵ）201を備える。このＣＰＵ201には、プログラム記憶部202およびデータ記憶部203が接続されており、さらに通信インタフェース204-1〜204-n,205、ネットワークインタフェース206、通話インタフェース207および入力表示インタフェース208がそれぞれ接続されている。
【００１５】
このうち通信インタフェース204-1〜204-nは、ＣＰＵ201の制御の下、病室ユニット1-1〜1-nとの間で信号の伝送を行う。同様に通信インタフェース205は、ＣＰＵ201の制御の下、無線交換装置3との間で信号の送受信を行う。ネットワークインタフェース206は、ＣＰＵ201の制御の下、ＬＡＮ9を介した信号の送受信を行う。
【００１６】
通話インタフェース207には、看護師が患者との間で通話を行うために使用するマイクロホン209およびスピーカ210が接続されている。通話インタフェース207は、病室ユニット1-1〜1-nとの間に通話路が形成された状態で、マイクロホン209から出力された話者の送話信号を符号化してＣＰＵ201へ出力するとともに、ＣＰＵ201から供給された受話データを復号して受話信号を再生し、この受話信号をスピーカ210から拡声出力する。またスピーカ210は、患者から呼出が発生した時に鳴音やメロディを出力する際にも使用される。このような構成によりナースコール親機2は、ナースコール端末装置としての機能も兼ね備える。
【００１７】
入力表示インタフェース208には、タッチパネル／表示器211が接続される。タッチパネル／表示器211は、例えばＣＲＴまたはＬＣＤを含んだ表示器の表示画面上に透明感圧シートを貼付したもので、情報の表示機能と入力機能とを併せ持っている。入力表示インタフェース208は、ＣＰＵ201から供給された表示情報を上記タッチパネル／表示器211に表示するとともに、タッチパネル／表示器211において入力された操作情報をＣＰＵ201に供給する。
【００１８】
プログラム記憶部202は、ナースコール親機2が備えるべき各種の機能を実現するためのＣＰＵ201の処理手順を記述した各種のプログラムを記憶する。プログラム記憶部202が記憶するプログラムには、無線ナースコールプログラム202aを含む。無線ナースコールプログラム202aは、患者用携帯端末8-1〜8-jからなされたナースコール呼出しを受けた際に、ナースコール呼出しを行った患者の居場所や移動能力の通知を伴うナースコール発報を行うための処理をＣＰＵ201に行わせる。
【００１９】
データ記憶部203は、上記各種の機能を実行するために必要な各種のデータを記憶する。データ記憶部203が記憶するデータには、エリア情報テーブル203aを含む。図３はエリア情報テーブル203aに記憶される情報の一例を示す図である。図３に示すようにエリア情報テーブル203aには、無線基地局6-1〜6-mのそれぞれに割り当てられた無線基地局ＩＤに対応付けて、各無線基地局6-1〜6-mの設置場所が示される。
【００２０】
一方、ナース用携帯端末7-1〜7-kは次のように構成される。  
図４はナース用携帯端末7-1〜7-kの機能構成を示すブロック図である。  
ナース用携帯端末7-1〜7-kは、制御部として例えばマイクロコンピュータを使用する中央処理ユニット（ＣＰＵ）201を備える。このＣＰＵ801には、メモリ部802が接続されており、さらに無線制御部803、通話インタフェース804、入力インタフェース805および表示インタフェース806がそれぞれ接続されている。
【００２１】
このうち無線制御部803は、ＣＰＵ801の制御の下、無線基地局6-1〜6-mとの無線通信をアンテナ807を介して行う。  
通話インタフェース804には、看護師等が患者との間で通話を行うために使用するマイクロホン808およびスピーカ809が接続されている。通話インタフェース804は、マイクロホン808から出力された話者の送話信号を増幅した上で符号化してＣＰＵ801へ出力するとともに、ＣＰＵ801から供給された受話データを復号して受話信号を再生し、この受話信号を増幅した上でスピーカ809へ供給する。スピーカ809は、供給された受話信号に基づいて受話音声を拡声出力する。またスピーカ809は、ナースコール発報のための鳴音やメロディを出力する際にも使用される。
【００２２】
入力インタフェース805には、キーパッド810が接続される。キーパッド810は、オペレータにより指定される情報を入力する。入力インタフェース805は、キーパッド810が入力する情報をＣＰＵ801へ与える。表示インタフェース806には、表示器811が接続される。表示器811は、例えばＣＲＴまたはＬＣＤを含み、情報を表示する。表示インタフェース806は、ＣＰＵ801から出力された表示データを表示器811へ与える。
【００２３】
メモリ部802は、例えばＲＯＭやＲＡＭを含み、ナース用携帯端末7-1〜7-kが備えるべき各種の機能を実現するためのＣＰＵ801の処理手順を記述した各種のプログラムや、上記の各種の機能を実行するために必要な各種のデータを記憶する。メモリ部802が記憶するプログラムには、発報プログラム802aを含む。発報プログラム802aは、ナースコール親機2からなされる発報指示に患者の居場所や移動能力が示される場合に、これらの通知を伴うナースコール発報を行うための処理をＣＰＵ801に行わせる。
【００２４】
次に以上のように構成されたナースコールシステムの動作につき詳細に説明する。  
図５はナースコールの際のシーケンス図である。  
例えば、無線基地局6-1のカバーエリア内にて、患者用携帯端末8-1を所持する患者が患者用携帯端末8-1に対してナースコール呼出しを指示したとする。このとき、患者用携帯端末8-1が呼出情報を無線送信する。患者用携帯端末8-1は、上記の呼出情報には自端末の端末ＩＤを示す。端末ＩＤとしては、例えば内線番号などが利用可能である。上記呼出信号は、無線基地局6-1により受信される。かくして、患者用携帯端末8-1から無線基地局6-1へと呼出情報が送られる（Ｔ１）。無線基地局6-1は、呼出情報を受けたならば、上記の呼出情報を無線交換装置3へ転送する。このときに無線基地局6-1は、自局に割り当てられている無線基地局ＩＤを上記の呼出情報に付加して送る（Ｔ２）。無線交換装置3は、上記の呼出情報および無線基地局ＩＤをナースコール親機2へ転送する（Ｔ３）。
【００２５】
ナースコール親機2は、呼出情報および無線基地局ＩＤが無線交換装置3より送られてくると、この呼出情報および無線基地局ＩＤを通信インタフェース205が取り込んでＣＰＵ201へ与える。そうするとＣＰＵ201は、上記無線基地局ＩＤをキーとしてエリア情報テーブルを検索して、この無線基地局ＩＤに対応付けられた設置場所を呼出しエリアとして判定する（Ｔ４）。ここの例では、無線基地局ＩＤは無線基地局6-1に割り当てられたものであるから、無線基地局6-1の設置場所（例えば「２階東病棟」）が呼出しエリアとして判定される。続いてＣＰＵ201の制御の下にナースコール親機2が、看護支援サーバ10に対して患者情報問い合わせを送る（Ｔ５）。ナースコール親機2はこの患者情報問い合わせには、上記の呼出情報に示された端末ＩＤを含める。
【００２６】
看護支援サーバ10は、患者情報問い合わせがなされると、そこに示された端末ＩＤが割り当てられた患者用携帯端末を所持している患者に関する患者名および移動能力を自己が記憶している情報から取り出して、これを患者情報としてナースコール親機2へと送る（Ｔ６）。このように看護支援サーバ10から送られた患者情報を受けるとナースコール親機2は、ＣＰＵ201の制御の下に、ナースコール発報を実行する（Ｔ７）。このナースコール発報においては、看護士に対する呼出し音をスピーカ210から出力する。またタッチパネル／表示器211にて、上記の患者情報に示される患者名および移動能力と、ＣＰＵ201が判定した呼出しエリアとを表示する。図６はこのナースコール発報における表示の一例を示す図である。
【００２７】
このようにナースコール親機2でのナースコール発報を行うのに並行してナースコール親機2は、発報指示を無線交換装置3へ送る（Ｔ８）。ナースコール親機2はこの発報指示には、上記の患者名、移動能力および呼出しエリアを示す。無線交換装置3は、上記の発報指示を無線基地局6-1〜6-mへ転送する（Ｔ９）。無線基地局6-1〜6-mは、上記の発報指示をナース用携帯端末7-1〜7-kへと送信する（Ｔ１０）。
【００２８】
ナース用携帯端末7-1〜7-kでは、無線基地局6-1〜6-mから送信された発報指示が到来すると、これを無線制御部803が受信し、ＣＰＵ801へ与える。そうするとナース用携帯端末7-1〜7-kはＣＰＵ801の制御の下に、ナースコール発報を実行する（Ｔ１１）。このナースコール発報においては、看護士に対する呼出し音をスピーカ809から出力する。また表示器811にて、上記の発報指示に示される患者名、移動能力および呼出しエリアを、例えばナースコール親機2と同様に表示する。
【００２９】
以上のように本実施形態によれば、患者用携帯端末8-1〜8-jのいずれかから送信されたナースコール呼出しが無線基地局6-1〜6-mのいずれにより受信されたかに応じて、ナースコール呼出しをした患者用携帯端末が位置する呼出しエリアを判定する。またナースコール親機2が、ナースコール呼出しが送信された患者用携帯端末を所持する患者についての患者名および移動能力を看護支援サーバ10から取得する。そして、ナースコール親機2にて、あるいはナースコール親機からの発報指示に応じてナース用携帯端末7-1〜7-kにて、患者名、移動能力および呼出しエリアの表示を伴ったナースコール発報が実行される。従って、ナースコール発報に気付いた看護士は、表示された呼出しエリアに基づいて患者の居場所を確認することができる。そして上記看護士は、表示された移動能力に基づいて、例えば車椅子を用意するなどの準備を行った上で、上記の患者の居場所に急行することが可能となる。この結果、ナースコールに対して速やかに適切な処置を行うことが可能となる。
【００３０】
なお、本発明は上記の実施形態に限定されるものではなく、本発明の要旨を逸脱しない範囲で種々の変形実施が可能である。
【図面の簡単な説明】
【００３１】
【図１】本発明の一実施形態に係わるナースコールシステムの概略構成図。
【図２】図１中のナースコール親機2の機能構成を示すブロック図。
【図３】図２中のエリア情報テーブル203aに記憶される情報の一例を示す図。
【図４】図１中のナース用携帯端末7-1〜7-kの機能構成を示すブロック図。
【図５】ナースコールの際のシーケンス図。
【図６】ナースコール発報における表示の一例を示す図。
【符号の説明】
【００３２】
1…病室ユニット、2…ナースコール親機、201…ＣＰＵ、202…プログラム記憶部、202a…無線ナースコールプログラム、203…データ記憶部、203a…エリア情報テーブル、204…通信インタフェース、205…通信インタフェース、206…ネットワークインタフェース、207…通話インタフェース、208…入力表示インタフェース、209…マイクロホン、210…スピーカ、211…タッチパネル／表示器、3…無線交換装置、5…公衆網、6…無線ユニット、6-1〜6-m…各無線基地局、6…無線基地局、7-1〜7-k…ナース用携帯端末、8-1〜8-j…患者用携帯端末、9…ＬＡＮ、10…看護支援サーバ、11…プリンタ、801…ＣＰＵ、802…メモリ部、802a…発報プログラム、803…無線制御部、804…通話インタフェース、805…入力インタフェース、806…表示インタフェース、807…アンテナ、808…マイクロホン、809…スピーカ、810…キーパッド、811…表示器。
【図１】
2005040378.tif 000003
【図２】
2005040378.tif 000004
【図３】
2005040378.tif 000005
【図４】
2005040378.tif 000006
【図５】
2005040378.tif 000007
【図６】
2005040378.tif 000008